(57)【要約】【課題】手早くかつ後腐れ無く不要品を譲渡できるようにする。【解決手段】ネットワークを介して、一つ又は複数の端末に接続されるサーバであって、  各端末にて不要品の情報を登録することを可能にする機能と、  不要品を譲り渡したい人が、端末にて、この不要品の情報を登録すると、この情報に基づいて、登録された不要品の商品分類を行うか、或は、サーバの管理業者に端末にて行わせる機能と、  登録された不要品の商品分類がなされると、商品分類の済んだ不要品の情報を、各端末にて、商品分類で検索・閲覧でき、かつ、この不要品の譲り受けを申込める状態にする機能と、  不要品を譲り受けたい人が、端末にて、不要品の譲り受けを申込むと、申込まれた不要品の譲り受けを各端末にて申込めない状態にして、申込まれた不要品の情報を登録した人に、この申込みを通知し、この通知を行ったことを申込んだ人に通知する機能とを有することを特徴とするリサイクルサーバ。【選択図】なし【特許請求の範囲】
【請求項１】
ネットワークを介して、一つ又は複数の端末に接続されるサーバであって、
不要品を譲り渡したい人の各端末での求めに応じて、各端末にて不要品の情報を登録することを可能にする機能と、
不要品を譲り渡したい人が、端末にて、この不要品の情報を登録すると、この情報に基づいて、登録された不要品の商品分類を行うか、或は、サーバの管理業者に端末にて行わせる機能と、
登録された不要品の商品分類がなされると、商品分類の済んだ不要品の情報を、不要品を譲り受けたい人の各端末での求めに応じて、各端末にて、商品分類で検索・閲覧でき、かつ、この不要品の譲り受けを申込める状態にする機能と、
不要品を譲り受けたい人が、端末にて、不要品の譲り受けを申込むと、申込まれた不要品の譲り受けを各端末にて申込めない状態にして、申込まれた不要品の情報を登録した人に、この申込みを通知し、また、この通知を行ったことを、不要品の譲り受けを申込んだ人に通知する機能とを有することを特徴とするリサイクルサーバ。
【請求項２】
不要品の情報を登録した人の各端末での求めに応じて、各端末にて、この不要品の譲り受けを各端末にて申込めない状態を、申込める状態に変更することを可能にする機能を有することを特徴とする請求項１に記載のリサイクルサーバ。
【請求項３】
上記不要品の情報には、無償・有償の別と、有償の場合に希望価格とが含まれることを特徴とする請求項１又は２に記載のリサイクルサーバ。
【請求項４】
ネットワークを介して、一つ又は複数の端末に接続されるサーバが実行する方法であって、
不要品を譲り渡したい人の各端末での求めに応じて、各端末にて不要品の情報を登録することを可能にする工程と、
不要品を譲り渡したい人が、端末にて、この不要品の情報を登録すると、この情報に基づいて、登録された不要品の商品分類を行うか、或は、サーバの管理業者に端末にて行わせる工程と、
登録された不要品の商品分類がなされると、商品分類の済んだ不要品の情報を、不要品を譲り受けたい人の各端末での求めに応じて、各端末にて、商品分類で検索・閲覧でき、かつ、この不要品の譲り受けを申込める状態にする工程と、
不要品を譲り受けたい人が、端末にて、不要品の譲り受けを申込むと、申込まれた不要品の譲り受けを各端末にて申込めない状態にして、申込まれた不要品の情報を登録した人に、この申込みを通知し、また、この通知を行ったことを、不要品の譲り受けを申込んだ人に通知する工程とを含むことを特徴とするリサイクル方法。
【請求項５】
不要品の情報を登録した人の各端末での求めに応じて、各端末にて、この不要品の譲り受けを各端末にて申込めない状態を、申込める状態に変更することを可能にする工程を含むことを特徴とする請求項４に記載のリサイクル方法。
【請求項６】
上記不要品の情報には、無償・有償の別と、有償の場合に希望価格とが含まれることを特徴とする請求項４又は５に記載のリサイクル方法。
【発明の詳細な説明】
【技術分野】
【０００１】
本発明は、リサイクルの技術に関する。
【背景技術】
【０００２】
本願では、リサイクルとは、物を持っている人や、サービスを受ける権利を持っているいる人が、その物やサービスが不要となった場合、その物やサービスを無駄にしないために、その物やサービスを必要とする人に、その物やサービスを無償又は有償で譲り渡すことを云う。また本願では、不要となった物やサービスを、不要品と総称する。
【０００３】
一般に、雑誌や自治体の回覧板やインターネット上のホームページなどに、不要品を持っている人が、その不要品を引き取ってくれる人を捜すための記事を掲載していることがある。ところが、掲載記事情報が古いことがあり、既に不要品を譲り渡しているのに、掲載者に問合せが来ることがある。
【０００４】
また一般に、不要品を持っている人が、その不要品の売却を希望する場合、この不要品をネットオークションに出品することもできる。しかしながら、ネットオークションでは、複数の入札を受け付け、最高の入札額を示した者が落札者となる仕組みであるために、落札者が決まるまで時間が長引く傾向にある。
【発明の開示】
【発明が解決しようとする課題】
【０００５】
本発明は斯かる背景技術に鑑みてなされたもので、手早くかつ後腐れ無く不要品を譲渡できるようにすることを課題とする。
【課題を解決するための手段】
【０００６】
本発明において上記課題を達成するために、まず請求項１の発明では、ネットワークを介して、一つ又は複数の端末に接続されるサーバであって、
不要品を譲り渡したい人の各端末での求めに応じて、各端末にて不要品の情報を登録することを可能にする機能と、
不要品を譲り渡したい人が、端末にて、この不要品の情報を登録すると、この情報に基づいて、登録された不要品の商品分類を行うか、或は、サーバの管理業者に端末にて行わせる機能と、
登録された不要品の商品分類がなされると、商品分類の済んだ不要品の情報を、不要品を譲り受けたい人の各端末での求めに応じて、各端末にて、商品分類で検索・閲覧でき、かつ、この不要品の譲り受けを申込める状態にする機能と、
不要品を譲り受けたい人が、端末にて、不要品の譲り受けを申込むと、申込まれた不要品の譲り受けを各端末にて申込めない状態にして、申込まれた不要品の情報を登録した人に、この申込みを通知し、また、この通知を行ったことを、不要品の譲り受けを申込んだ人に通知する機能とを有することを特徴とするリサイクルサーバとしたものである。
【０００７】
また請求項２の発明では、不要品の情報を登録した人の各端末での求めに応じて、各端末にて、この不要品の譲り受けを各端末にて申込めない状態を、申込める状態に変更することを可能にする機能を有することを特徴とする請求項１に記載のリサイクルサーバとしたものである。
【０００８】
また請求項３の発明では、上記不要品の情報には、無償・有償の別と、有償の場合に希望価格とが含まれることを特徴とする請求項１又は２に記載のリサイクルサーバとしたも
のである。
【０００９】
また請求項４の発明では、ネットワークを介して、一つ又は複数の端末に接続されるサーバが実行する方法であって、
不要品を譲り渡したい人の各端末での求めに応じて、各端末にて不要品の情報を登録することを可能にする工程と、
不要品を譲り渡したい人が、端末にて、この不要品の情報を登録すると、この情報に基づいて、登録された不要品の商品分類を行うか、或は、サーバの管理業者に端末にて行わせる工程と、
登録された不要品の商品分類がなされると、商品分類の済んだ不要品の情報を、不要品を譲り受けたい人の各端末での求めに応じて、各端末にて、商品分類で検索・閲覧でき、かつ、この不要品の譲り受けを申込める状態にする工程と、
不要品を譲り受けたい人が、端末にて、不要品の譲り受けを申込むと、申込まれた不要品の譲り受けを各端末にて申込めない状態にして、申込まれた不要品の情報を登録した人に、この申込みを通知し、また、この通知を行ったことを、不要品の譲り受けを申込んだ人に通知する工程とを含むことを特徴とするリサイクル方法としたものである。
【００１０】
また請求項５の発明では、不要品の情報を登録した人の各端末での求めに応じて、各端末にて、この不要品の譲り受けを各端末にて申込めない状態を、申込める状態に変更することを可能にする工程を含むことを特徴とする請求項４に記載のリサイクル方法としたものである。
【００１１】
また請求項６の発明では、上記不要品の情報には、無償・有償の別と、有償の場合に希望価格とが含まれることを特徴とする請求項４又は５に記載のリサイクル方法としたものである。
【発明の効果】
【００１２】
また請求項１及び４の発明は、不要品を譲り受けたい人が、端末にて、不要品の譲り受けを申込むと、申込まれた不要品の譲り受けを各端末にて申込めない状態にして、申込まれた不要品の情報を登録した人に、この申込みを通知し、また、この通知を行ったことを、不要品の譲り受けを申込んだ人に通知するので、申込んだ人と、即座に不要品の譲渡について交渉がなされ、その後の申込みが排除されることになり、不要品を譲り渡したい人は、手早くかつ後腐れ無く不要品を譲渡できるという効果がある。また請求項１及び３の発明は、商品分類で不要品を検索・閲覧できるので、不要品の登録件数が増えても、不要品を譲り受けたい人は、希望する商品を容易に見つけられるという効果もある。
【００１３】
また請求項２及び５の発明は、請求項１又は３の発明の効果に加えて、不要品の情報を登録した人の各端末での求めに応じて、各端末にて、この不要品の譲り受けを各端末にて申込めない状態を、申込める状態に変更することを可能にするので、不要品の譲渡についての交渉が不成立の場合に、この不要品の情報を登録した人は、不要品の譲り受けの申込みを新たに募ることができるという効果もある。
【００１４】
また請求項３及び６の発明は、請求項１、２、４、又は５の発明の効果に加えて、登録される不要品の情報に、無償・有償の別と、有償の場合に希望価格が含まれるので、有償だけでなく無償で譲渡を希望する不要品の登録も行えるという効果もある。
【発明を実施するための最良の形態】
【００１５】
以下に、本発明の最良の一実施形態を説明する。
【００１６】
１．構成
本実施形態では、図１に示すように、本発明のリサイクルサーバは、ネットワークを介して、一つ又は複数の端末に接続される。リサイクルサーバは、リサイクルサーバ管理業者によって管理される。
【００１７】
ネットワークは、リサイクルサーバと各端末との間でデータ通信が可能であれば、その種類や形態に特に制限は無く、例えば、インターネットや専用回線でも良く、また、途中で光通信や無線通信が行なわれるものであっても良い。
【００１８】
端末は、パソコンなどのコンピュータ、或は、携帯電話機などの携帯情報端末である。不要品を譲り渡したい人、不要品を譲り受けたい人、リサイクルサーバ管理業者は、それぞれ、端末を所持している。
【００１９】
リサイクルサーバは、
（１）不要品を譲り渡したい人の各端末での求めに応じて、各端末にて不要品の情報を登録することを可能にする機能、
（２）不要品を譲り渡したい人が、端末にて、この不要品の情報を登録すると、この情報に基づいて、登録された不要品の商品分類を行うか、或は、リサイクルサーバ管理業者に端末にて行わせる機能、
（３）登録された不要品の商品分類がなされると、商品分類の済んだ不要品の情報を、不要品を譲り受けたい人の各端末での求めに応じて、各端末にて、商品分類で検索・閲覧でき、かつ、この不要品の譲り受けを申込める状態にする機能、
（４）不要品を譲り受けたい人が、端末にて、不要品の譲り受けを申込むと、申込まれた不要品の譲り受けを各端末にて申込めない状態にして、申込まれた不要品の情報を登録した人に、この申込みを通知し、また、この通知を行ったことを、不要品の譲り受けを申込んだ人に通知する機能、
（５）不要品の情報を登録した人の各端末での求めに応じて、各端末にて、この不要品の譲り受けを各端末にて申込めない状態を、申込める状態に変更することを可能にする機能、
以上の（１）〜（５）の機能を有するサーバ（コンピュータシステム）である。
【００２０】
不要品の情報は、不要品に関する情報であって、例えば、不要品の品名と、写真と、数量と、無償・有償の別と、有償の場合に希望価格とが含まれる。また、不要品の情報に、不要品を登録する人が、この不要品を、どの商品分類に入れて貰いたいのかの希望も含まれ、この希望に従って、リサイクルサーバが、この不要品の商品分類を行っても良い。
【００２１】
不要品の情報の登録がなされる、又は、不要品の譲り受けが申込まれる、或は、不要品の譲り受けを申込めない状態を申込める状態に変更する、それぞれの際に、リサイクルサーバは、不要品の情報を登録する人、不要品の譲り受けを申込む人、申込めない状態を申込める状態に変更する人、それぞれに、この人の個人情報を端末に入力させ、この個人情報に基づいて、この人を確認するか、或は、リサイクルサーバ管理業者に端末にて確認させる。この個人情報には、例えば、住所、氏名、電話番号、電子メールアドレス、誕生日などが含まれる。或は、事前に、住所、氏名、電話番号、電子メールアドレス、誕生日などを、ＩＤとパスワードと共に、リサイクルサーバに登録しておき、このＩＤとパスワードとを、端末にて入力させる個人情報としても良い。この場合、リサイクルサーバは、入力されたＩＤとパスワードとを、それぞれ、登録されているＩＤとパスワードと照合することにより、入力した人の確認を行う。
【００２２】
不要品の検索は、商品分類で検索されるだけでなく、キーワードで行われても良い。
【００２３】
不要品の譲り受けを端末にて申込めない状態とは、端末にて申込みという操作そのもの
ができない状態であるか、或は、申込みという操作を行うことができても、この申込みが無効であることが、この申込みを行った人に通知されて、この申込みが、不要品の情報を登録した人に通知されない状態である。
【００２４】
不要品の譲り受けが申込まれたことを、この不要品の情報を登録した人にする通知と、この通知を行ったことを、この不要品の譲り受けを申込んだ人にする通知とは、例えば、電子メールで送られても良い。これらの通知が、両人に到達すると、不要品の譲渡について、両人の間で交渉がなされることになる。
【００２５】
交渉が成立した場合、有償であるならば、交渉が成立した不要品の情報を登録した人は、リサイクルサーバ管理業者に、利用料金を支払う。リサイクルサーバは、この利用料金の支払いについて、決済をしても良い。また、交渉が成立した場合、無償であるならば、不要品の譲り受けの申込みをした人が、この不要品を実費で引き取る。
【００２６】
交渉が不成立の場合、交渉が不成立の不要品の情報を登録した人は、端末にて、この不要品の譲り受けを端末にて申込めない状態を、申込める状態に変える。
【００２７】
２．処理
以下に、図２のフローチャートに従って、不要品を譲り渡したい人が、この不要品を譲り受けたい人を見つけるまでになされる、リサイクルサーバが係わる処理の流れの例を説明する。
【００２８】
Ｓ（ＳＴＥＰ）１；
リサイクルサーバは、不要品を譲り渡したい人の端末での求めに応じて、端末にて不要品の情報を登録することを可能にする。
【００２９】
Ｓ（ＳＴＥＰ）２；
不要品を譲り渡したい人は、端末にて、不要品の情報を登録する。
【００３０】
Ｓ（ＳＴＥＰ）３；
リサイクルサーバは、登録された不要品の情報に基づいて、この不要品の商品分類を行うか、或は、リサイクルサーバ管理業者に端末にて行わせる。
【００３１】
Ｓ（ＳＴＥＰ）４；
リサイクルサーバは、商品分類の済んだ不要品の情報を、不要品を譲り受けたい人の端末での求めに応じて、端末にて、商品分類で検索・閲覧でき、かつ、この不要品の譲り受けを申込める状態にする。
【００３２】
Ｓ（ＳＴＥＰ）５；
不要品を譲り受けたい人は、端末にて、希望する不要品を、商品分類で検索・閲覧することにより探して、希望する不要品の譲り受けを申込む。
【００３３】
Ｓ（ＳＴＥＰ）６；
リサイクルサーバは、譲り受けの申込みがなされた不要品について、この不要品を各端末にて申込めない状態にする。
【００３４】
Ｓ（ＳＴＥＰ）７；
リサイクルサーバは、不要品の譲り受けの申込みを、この不要品の情報を登録した人に通知し、また、この通知を行ったことを、この不要品の譲り受けを申込んだ人に通知する。
【００３５】
Ｓ（ＳＴＥＰ）８；
不要品の情報を登録した人と、この不要品の譲り受けを申込んだ人との間で、この不要品の譲渡について、交渉が成立したならば、ＥＮＤに進み、
他方、交渉が不成立ならば、ＳＴＥＰ９に進む。
【００３６】
Ｓ（ＳＴＥＰ）９；
リサイクルサーバは、不要品の情報を登録した人の端末での求めに応じて、端末にて、この不要品の譲り受けを各端末にて申込めない状態を、申込める状態に変更することを可能にする。
【００３７】
Ｓ（ＳＴＥＰ）１０；
不要品の情報を登録した人は、端末にて、この不要品を各端末にて申込めない状態を、申込める状態に変更する。そして、ＳＴＥＰ５に戻る。
【図面の簡単な説明】
【００３８】
【図１】本実施形態に係わるシステムの構成例を示す図。
【図２】リサイクルサーバが係わる処理の流れの例を説明するフローチャート。
【図１】
2005182584.tif 000002
【図２】
2005182584.tif 000003